(57)【特許請求の範囲】
【請求項１】
ベースフレームと、
このベースフレームの長手方向一端部に一端部が回動自在に連結された第１のアームと、
上記ベースフレームの長手方向他端部に一端部が回動自在に連結された第２のアームと、
上記第１のアームの他端部と上記第２のアームの他端部とに長手方向の一端部と他端部とがそれぞれ回動自在に連結されたベッドフレームと、
上記第１のアームの他端部に一端部が回動自在に連結された第１の連動杆と、
上記第２のアームの他端部に一端部が回動自在に連結され他端部が上記第１の連動杆の他端部にスライド自在に係合された第２の連動杆と、
第１の連動杆と第２の連動杆との他端部をスライド不能に保持するロック機構と、
このロック機構による第１の連動杆と第２の連動杆との他端部の保持状態を解除する解除機構と、
一端部が上記第１のアームと第２のアームのどちらか一方のアームに連結され他端部が上記一方のアームに一端部が連結された一方の連動杆に連結されて設けられ、上記第１の連動杆と第２の連動杆とが上記ロック機構によってスライド不能に保持された状態で作動することで上記第１、第２のアームを起立方向に回動して上記ベッドフレームをほぼ水平に上昇させ、上記ロック機構による保持状態を解除した状態で作動することで一方のアームだけを上昇方向に回動させて上記ベッドフレームを傾斜させる駆動手段と
を具備したことを特徴とするベッド装置。
【請求項２】
上記第１のアームと第２のアームとのどちらか一方のアームの一端部は、上記ベースフレームに回動自在かつベースフレームの長手方向に沿ってスライド可能に連結されていることを特徴とする請求項１記載のベッド装置。
【請求項３】
上記ベッドフレームには床板が設けられ、この床板の一部は起伏可能になっていて、その起伏可能な部分は上記ベッドフレームに設けられた背上げ駆動機構によって起伏駆動される構成であることを特徴とする請求項１記載のベッド装置。
【請求項４】
上記第１の連動杆と第２の連動杆との他端部は、一方の連動杆に他方の連動杆がスライド自在に収容された構成となっていて、
上記ロック機構は、一方の連動杆に回動可能に自在に設けられたホルダと、
このホルダに両端部が保持されるとともに中途部が上記一方の連動杆の内部に貫通し上記ホルダとともに回動可能なロックピンと、
上記ロックピンが一方の連動杆に収容された他方の連動杆の端面に当接してこの他方の連動杆が一方の連動杆に対してスライドするのを阻止するよう上記ホルダを所定方向に回動付勢したばねとから構成されており、
上記解除機構は、上記ホルダを上記ばねの付勢力に抗して回動させる操作部材である
ことを特徴とする請求項１記載のベッド装置。
【請求項５】
上記操作部材を上記ばねの付勢力に抗して操作して上記ロックピンによる他方の連動杆の保持状態を解除したときに、上記操作部材はその操作状態で保持される構成であることを特徴とする請求項４記載のベッド装置。
【発明の詳細な説明】
【０００１】
【発明の属する技術分野】
この発明はベッドフレームを上下駆動及び傾斜駆動させることができるベッド装置に関する。
【０００２】
【従来の技術】
ベッド装置にはベッドフレームを上下駆動できるようにしたものがある。このようなベッド装置はたとえば病院などで用いられていて、ベッドフレーム上に仰臥した患者を診察したり介護する場合には、それらの作業がし易いように上記ベッドフレームの高さ位置を高くし、患者がベッドフレームに乗り降りするような場合には低くするようにしている。
【０００３】
一方、患者の病状などによっては頭部を足部よりも低くしたり、高くするなどのことが要求されることがある。その場合、ベッドフレームを単に水平に上下駆動できるようにするだけでなく、傾斜できるようにすることが要求される。
【０００４】
【発明が解決しようとする課題】
従来、ベッドフレームを上下駆動及び傾斜駆動するためには、上下駆動用と傾斜駆動用の２つの駆動機構が必要であった。
【０００５】
そのため、部品点数が多くなるため、構成の複雑化やコストの上昇を招くということがあるばかりか、装置全体の大型化を招くということもあった。
【０００６】
この発明はベッドフレームの上下駆動と傾斜駆動とを１つの駆動機構で行うことができるようにしたベッド装置を提供することにある。
【０００７】
【課題を解決するための手段】
請求項１の発明は、ベースフレームと、
このベースフレームの長手方向一端部に一端部が回動自在に連結された第１のアームと、
上記ベースフレームの長手方向他端部に一端部が回動自在に連結された第２のアームと、
上記第１のアームの他端部と上記第２のアームの他端部とに長手方向の一端部と他端部とがそれぞれ回動自在に連結されたベッドフレームと、
上記第１のアームの他端部に一端部が回動自在に連結された第１の連動杆と、
上記第２のアームの他端部に一端部が回動自在に連結され他端部が上記第１の連動杆の他端部にスライド自在に係合された第２の連動杆と、
第１の連動杆と第２の連動杆との他端部をスライド不能に保持するロック機構と、
このロック機構による第１の連動杆と第２の連動杆との他端部の保持状態を解除する解除機構と、
一端部が上記第１のアームと第２のアームのどちらか一方のアームに連結され他端部が上記一方のアームに一端部が連結された一方の連動杆に連結されて設けられ、上記第１の連動杆と第２の連動杆とが上記ロック機構によってスライド不能に保持された状態で作動することで上記第１、第２のアームを起立方向に回動して上記ベッドフレームをほぼ水平に上昇させ、上記ロック機構による保持状態を解除した状態で作動することで一方のアームだけを上昇方向に回動させて上記ベッドフレームを傾斜させる駆動手段と
を具備したことを特徴とするベッド装置にある。
【０００８】
請求項２の発明は、上記第１のアームと第２のアームとのどちらか一方のアームの一端部は、上記ベースフレームに回動自在かつベースフレームの長手方向に沿ってスライド可能に連結されていることを特徴とする請求項１記載のベッド装置にある。
【０００９】
請求項３の発明は、上記ベッドフレームには床板が設けられ、この床板の一部は起伏可能になっていて、その起伏可能な部分は上記ベッドフレームに設けられた背上げ駆動機構によって起伏駆動される構成であることを特徴とする請求項１記載のベッド装置にある。
【００１０】
請求項４の発明は、上記第１の連動杆と第２の連動杆との他端部は、一方の連動杆に他方の連動杆がスライド自在に収容された構成となっていて、
上記ロック機構は、一方の連動杆に回動可能に設けられたホルダと、
このホルダに両端部が保持されるとともに中途部が上記一方の連動杆の内部に貫通し上記ホルダとともに回動可能なロックピンと、
上記ロックピンが一方の連動杆に収容された他方の連動杆の端面に当接してこの他方の連動杆が一方の連動杆に対してスライドするのを阻止するよう上記ホルダを所定方向に回動付勢したばねとから構成されており、
上記解除機構は、上記ホルダを上記ばねの付勢力に抗して回動させる操作部材である
ことを特徴とする請求項１記載のベッド装置にある。
【００１１】
請求項５の発明は、上記操作部材を上記ばねの付勢力に抗して操作して上記ロックピンによる他方の連動杆の保持状態を解除したときに、上記操作部材はその操作状態で保持される構成であることを特徴とする請求項４記載のベッド装置にある。
【００１２】
請求項１、請求項２、請求項４及び請求項５の発明によれば、第１の連動杆と第２の連動杆とのスライド状態をロックして駆動手段を作動させれば、第１のアームと第２のアームとが上昇方向に回動するから、ベッドフレームをほぼ水平に上昇させることができ、上記第１の連動杆と第２の連動杆とのロック状態を解除して駆動手段を作動させれば、一方のアームだけが上昇方向に回動するから、ベッドフレームを傾斜させることができるから、１つの駆動手段でベッドフレームを水平な状態で上下駆動したり、傾斜させることができる。
【００１３】
請求項２の発明によれば、ベッドフレームを傾斜させるとき、一方のアームの一端部がベッドフレームの長手方向に沿ってスライドすることで、その操作を円滑に行うことが可能となる。
【００１４】
請求項３の発明によれば、ベッドフレームに設けられる床板の一部を、背上げ駆動機構によって起伏できるようにし、その床板の背上げ側をベッドフレームを傾斜させたときの下方側に位置させることで、上記ベッドフレームを傾動させることで、床板上に仰臥した病人の頭部を下げることができ、ベッドフレームを水平な状態として床板の一部を背上げすることで、病人の頭部を上げることができる。
【００１５】
【発明の実施の形態】
以下、この発明の一実施の形態を図面を参照して説明する。
【００１６】
図１はこの発明のベッド装置の分解斜視図であって、このベッド装置はベースフレーム１を有する。このベースフレーム１は一対の縦杆２と横杆３とが下端にキャスタ４が設けられた各一対の第１、第２の連結部材５，６によって矩形枠状に連結されている。
【００１７】
上記ベースフレーム１の長手方向一端側に位置する一対の第１の連結部材５の上端には図２に示すように第１の係合凹部５ａが形成され、他端側に位置する一対の第２の連結部材６の上端には図３（ａ），（ｂ）に示すようにベースフレーム１の長手方向に沿って長い第２の係合凹部７が形成されている。
【００１８】
すなわち、ベースフレーム１の長手方向他端側に位置する一対の第２の連結部材６は、図３（ａ），（ｂ）に示すように本体部８の上面に断面形状がＨ形をした取付部８ａが突設されている。この取付部８ａには上端側に上記第２の係合凹部７が形成された受け部材９の下端側が連結され、図示しないねじによって固定されている。
【００１９】
上記受け部材９の上記第２の係合凹部７の両端に突設された一対の凸部１１には通孔１２が穿設され、これら通孔１２には係合凹部７の上面側を閉鎖するＬ字状の帯状部材１３が挿通されている。この帯状部材１３の屈曲された端部は、上記受け部材９の一側面に形成された舌片１４の鉤部１４ａに弾性的に係合している。それによって、上記帯状部材１３は上記通孔１２から抜出しないよう保持されている。
【００２０】
ベースフレーム１の長手方向一端側に位置する一対の第１の連結部材５の第１の係合凹部５ａには第１のアーム１６の一端に設けられたピン１７が回動自在に係合され、他端側に位置する一対の第２の連結部材６の第２の係合凹部７には第２のアーム１８に設けられたピン１９が第２の係合凹部７の長手方向に沿ってスライド自在かつ回動可能に係合されている。
【００２１】
一対の第１のアーム１６の他端は第１の連結軸２１ａの両端に連結され、一対の第２のアーム１８の中途部は第２の連結軸２１ｂの両端に連結されている。第１の連結軸２１ａの中途部には第１の上部連結片２３ａと第１の下部連結片２３ｂが固着され、第２の連結軸２１ｂの中途部には第２の上部連結片２４ａと下部連結片２４ｂが固着されている。
【００２２】
上記第１の上部連結片２３ａには第１の連動杆２５の一端部が回動自在に連結され、上記第２の上部連結片２４ａの一端部には第２の連動杆２６の一端部が回動自在に連結されている。
【００２３】
上記第１の連動杆２５は、図４に示すように一端にブラケット２７が固着された角筒部材２８と、この角筒部材２８の他端部下面側に連結板２９によって所定の隙間を介して連結された逆Ｕ字状部材３１とからなり、上記ブラケット２７が上記第１の上部連結片２３ａに回動自在に連結されている。
【００２４】
上記第２の連動杆２６は、一端部に上記第２の上部連結片２４ａに回動自在に連結されるブラケット３２が設けられ、他端部は上記第１の連動杆２５の逆Ｕ字状部材３１にスライド自在に挿入されている。この第１の連動杆２５の他端部には、図５に示すように上記逆Ｕ字状部材３１の内面に転動して第２の連動杆２６を円滑にスライドさせるためのローラ３３及び第２の連動杆２６が逆Ｕ字状部材３１の開放した下面から抜出するのを阻止する係合ピン３４が設けられている。
【００２５】
上記逆Ｕ字状部材３１の中途部には、上記第１の連動杆２５に対して第２の連動杆２６をスライド不能に保持するロック機構３５が設けられている。このロック機構３５は、図４と図５に示すように上記逆Ｕ字状部材３１の外側に装着された断面形状がほぼ逆Ｕ字状のホルダ３６を有し、このホルダ３６の両側が上記逆Ｕ字状部材３１の両側にそれぞれ連結軸３７によって回動可能に連結されている。
【００２６】
上記ホルダ３６の両側間には上記逆Ｕ字状部材３１の両側壁を貫通したロックピン３８が架設されている。このロックピン３８は上記逆Ｕ字状部材３１の両側壁の前後方向一端側に上下方向に沿って細長く形成された第１の長孔３９に挿通されている。
【００２７】
さらに、上記逆Ｕ字状部材３１の前後方向他端側には前後方向に沿って細長い第２の長孔４０が形成され、この第２の長孔４０には第１の張設ピン４１がスライド可能に挿通され、両端が上記ホルダ３６の両側壁に固定されている。
【００２８】
上記逆Ｕ字状部材３１には、上記第１の長孔３８の下方に第２の張設ピン４２が架設されている。この第２の張設ピン４２と上記第１の張設ピン４１とには引張りばね４３が張設されている。それによって、上記ホルダ３６は連結軸３７を支点として図４に矢印で示す回動方向に付勢されている。
【００２９】
上記ホルダ３６が上記引張りばね４３によって付勢されることで、上記ロックピン３８は上記第２の連動杆２６の先端面に係合する位置にある。それによって、上記第１の連動杆２５に対して上記第２の連動杆２６が図５に矢印で示す第１の連動杆２５に入り込む方向（縮小方向）へスライドするのが阻止されている。
【００３０】
上記ロックピン３８と第２の連動杆２６との係合は解除機構５１によって解除できるようになっている。この解除機構５１は、帯状の操作部材５２を有する。この操作部材５２は、中途部が上記第１の連動杆２５の角筒部材２８と逆Ｕ字状部材３１との間を通されてスライド可能に設けられ、先端部は上記逆Ｕ字状部材３１とホルダ３６との間を通されている。
【００３１】
上記ホルダ３６から突出した先端部の上面には係止ピン５３が突設され、この係止ピン５３は上記ホルダ３６の中途部先端側に形成された凹部５４に係合している。上記操作部材５２の後端部は上記第１の連動杆２５の角筒部材２８の端面から突出し、その突出端部の下面には操作軸５５が垂設されている。
【００３２】
上記操作軸５５に手を掛けて操作部材５２を図４に矢印で示す方向へスライドさせると、先端に設けられた係止ピン５３によってホルダ３６を引張りばね４３の復元力に抗して回動させる。それによって、ロックピン３８が下方へ回動変位して第２の連動杆２６の先端面から外れるから、この第２の連動杆２６が第１の連動杆２５に対してスライド可能な状態となる。
【００３３】
上記操作部材５２の後端部には図６（ｂ）に示すように鉤型の係止溝５６が形成され、この係止溝５６には上記角型部材２８の後端部に設けられた係止軸５７（図５に示す）が挿入されている。上記係止溝５６は上記操作部材５２のスライド方向に対して直交する係止部５６ａと、この係止部５６ａの一端部に連続する傾斜部５６ｂとからなる。
【００３４】
上記操作部材５２をスライド操作する前は、上記係止軸５７は上記傾斜部５６ｂの末端に位置し、上記操作部材５２をスライドさせると、上記係止部５６ａの末端に係合位置する。
【００３５】
それによって、操作部材５２をスライドさせ、ホルダ３６を引張りばね４３の復元力に抗して回動させれば、上記操作部材５２は係止溝５６の係止部５６ａの末端に上記係止軸５７を係合させてスライド不能に保持できるから、上記ホルダ３６を上記引張りばね４３の復元力によって回動しない状態、つまりロックピン３８が第２の連動杆２６の先端面から外れた解除状態を保持できるようになっている。
【００３６】
上記第１の下部連結片２３ｂには、図１に示すように上下駆動手段６１の駆動源６２が回動自在に取り付けられている。上記上下駆動手段６１は上記駆動源６２によって進退駆動される駆動軸６３を有し、この駆動軸６３の先端は上記第１の連動杆２５の逆Ｕ字状部材３１の中途部に枢着されている。
【００３７】
したがって、上記ロックピン３８によって第２の連動杆２６が第１の連動杆２５に対してスライド不能にロックされた状態で、上記駆動軸６３が駆動源６２から突出する方向に駆動されると、第１、第２の連結片２３，２４及び第１、第２の連結軸２１ａ，２１ｂを介して第１のアーム１６と第２のアーム１８とが下端を支点として起立方向へ回動されるようになっている。
【００３８】
上記第２の下部連結片２４ｂと、上記第２の連動杆２６の先端部とには緩衝手段としてのガススプリング６４が一端と他端とを回動自在に連結して設けられている。このガススプリング６４は第１、第２のアーム１６，１８が起立方向に回動されるときには縮小され、倒伏方向に回動されるときには伸長する。
【００３９】
したがって、上記上下駆動手段６１の駆動源６２が停電等で制御不能となっても、起立状態に回動した上記各アーム１６，１８が急激に倒伏するのを防止するようになっている。
【００４０】
上記第１の連結軸２１ａと第２の連結軸２１ｂとにはベッドフレーム６５が連結されている。つまり、上記ベッドフレーム６５は図１に示すように一対の縦杆６６と一対の横杆６７とが４つの第３の連結部材６８によって矩形枠状に連結されている。
【００４１】
一対の縦杆６６の長手方向一端部には第１のブラケット６９が垂設され、他端部には第２のブラケット７１が垂設されている。一対の第１のブラケット６９には上記第１の連結軸２１ａの端部がそれぞれ回動自在に連結され、一対の第２のブラケット７１には上記第２のアーム１８の他端が回動自在に連結されている。
【００４２】
したがって、上記ベッドフレーム６５は上記第１、第２のアーム１６，１８の起伏回動に連動して上下動するようになっている。
【００４３】
図１に示すように、上記ベッドフレーム６５には床板７２が設けられている。この床板７２は互いに回動自在に連結された複数の床板部、この実施の形態では５つの床板部７２ａ〜７２ｅに分割されている。
【００４４】
上記床板７２の長手方向中央に位置する固定床板部７２ｃは上記ベッドフレーム６５に固定されている。この固定床板部７２ｃの一側に設けられた第１の脚床板部７２ｂ、第２の脚床板部７２ａ及び他側に設けられた腰床板部７２ｄ、背上げ床板部７２ｅはそれぞれ起上方向に回動可能となっている。
【００４５】
上記ベッドフレーム６５には、上記床板７２の下面側に背上げ駆動機構７３が設けられている。この背上げ駆動機構７３はボックス７４を有し、このボックス７４の一側面にはモータ７５が設けられている。
【００４６】
上記ボックス７４の一端部には第１の駆動軸７６が設けられ、他端部には第２の駆動軸７７が設けられている。これら駆動軸７６，７７は上記モータ７５が作動すると、上記ボックス７４に内蔵された図示しない動力伝達機構を介して回動駆動されるようになっている。
【００４７】
上記第１の駆動軸７６の両端部には、先端部にローラ７８ａが回転自在に設けられた一対の第１の起上アーム７８の基端が固着され、上記第２の駆動軸７７の両端部には、先端部にそれぞれ一対のローラ７９ａが所定間隔で回転自在に設けられた第２の起上アーム７９の基端が固着されている。
【００４８】
上記第１の起上アーム７８のローラ７８ａは第１の脚床板部７２ｂの下面に転接し、第２の起上アーム７９の各一対のローラ７９ａは背床板部７２ｅの下面に設けられた図示しないガイドレールに転動自在に係合している。
【００４９】
そして、上記構成の背上げ駆動機構７３は、第１の駆動軸７６と第２の駆動軸７７との両端部が上記ベッドフレーム６５の一対の縦杆６６の内面に設けられた各一対の受け部材８０（一方側のみ図示）に回転自在に支持されている。
【００５０】
上記第１の起上アーム７８が起上方向に駆動されると、第１の脚床部７２ｂが上昇させられ、それに第２の脚床部７２ａが連動して上昇する。第２の脚床部７２ａには上記ベッドフレーム６５に両端を枢着したコ字状の保持部材８１の中途部が回動自在に連結されている。したがって、上記第１の脚床部７２ｂと連動した第２の脚床部７２ａは上記保持部材８１によって上昇状態で保持されるようになっている。
【００５１】
上記第２の起上アーム７９が起上方向に駆動されると、背床板部７２ｅが上昇方向に回動し、それに腰床部７２ｄが連動する。したがって、床板７２に載置された図示しないマットレス上に仰臥した患者は、上半身を起こすことができるようになっている。
【００５２】
なお、図１に示すように、床板７２は、その背床板部７２ｅがベースフレーム１の第２のアーム１８側に位置するよう配設されている。
【００５３】
つぎに、上記構成のベッド装置の使用形態について説明する。
【００５４】
まず、ベッドフレーム６５、つまり床板７２を水平な状態で上下動させる場合には、ロック機構３５のロックピン３８によって第１の連動杆２５に対して第２の連動杆２６がスライド不能なロック状態とする。
【００５５】
そして、上記ベッドフレーム６５を下降位置から上昇させるには、駆動源６２を作動させて駆動軸６３を前進方向へ駆動する。それによって、この駆動軸６３の反力で第１の下部連結片２３ｂと第１の連結軸２１ａを介して第１のアーム１６が図７に矢印で示す起立方向に回動する。
【００５６】
第１のアーム１６が起立方向に回動すると、その回動がロック状態にある第１の連動杆２５と第２の連動杆２６を介して第２のアーム１８に伝達されるから、この第２のアーム１８が第１のアーム１６とともに同図に矢印で示す起立方向に回動することになる。
【００５７】
したがって、図９（ａ）に示すように、これらアーム１６，１８の起立方向への回動によってベッドフレーム６５がほぼ水平に上昇することになるから、たとえば患者の診察や介護をする場合等には診察者や介護者が作業し易い高さにすることができ、便利である。
【００５８】
床板７２上に仰臥した患者の頭部への血流をよくするため等に、頭部を足部よりも低くしたい場合には、ベッドフレーム６５を下降状態にしてから、ロック機構３５による第１の連動杆２５と第２の連動杆２６とのロック状態を解除する。つまり、解除機構５１の操作部材５２の操作軸５５に手を掛けてこの操作部材５２を図８に矢印で示す方向へ引き、係止軸５７に係止溝５６の係止部５６ａを係合させることで、その解除状態を保持する。
【００５９】
操作部材５２を引くと、その先端に設けられた係止ピン５３によってロック機構３５のロックピン３８が設けられたホルダ３６が支軸３７を支点として回動するから、上記ロックピン３８が第２の連動杆２６の先端面から外れてロック状態が解除される。つまり、第１の連動杆２５に対して第２の連動杆２６がスライド可能となる。
【００６０】
このように、ロック状態を解除したならば、上下駆動手段６１の駆動源６２を作動させて駆動軸６３を前進方向へ駆動する。それによって、図８に鎖線で示すように第１のアーム１６がその一端に設けられたピン１７を支点として他端が上昇する方向へ回動するから、この他端の上昇にベッドフレーム６５の一端が連動して上昇することになる。
【００６１】
ロック機構３５による第１の連動杆２５と第２の連動杆２６とのロック状態が解除されていなければ、第２のアーム１８も回動してベッドフレーム６５の他端も上昇することになる。
【００６２】
しかしながら、ロック状態が解除されていることで、第１のアーム１６が回動すると、その回動に連動して長手方向に移動する第１の連動杆２５の内部に沿って第２の連動杆２６が相対的にスライドすることになるから、上記第１のアーム１６の回動が第２のアーム１８に伝達されることがない。
【００６３】
つまり、第１のアーム１６は駆動軸６３の前進方向へのストロークに応じた角度で回動上昇するが、第２のアーム１８はほとんど回動しないため、ベッドフレーム６５は患者の頭部側、つまり床板７２の背上げ床板部７２ｅ側が低くなる状態で傾斜することになる。この状態を図９（ｂ）に示す。
【００６４】
第１のアーム１６を起立方向へ回動させて、ベッドフレーム６５を傾斜させると、図８に鎖線で示すように第２のアーム１８も上昇方向へわずかに回動する。そのため、第２の連動杆２６と第２の上部連結片２４ａとの連結点ｃは同図にｅ１で示す距離だけ変位する。つまり、上記連結点ｃはベッドフレーム６５を傾斜させることで図８の左方向へ距離ｅ１だけ変位する。
【００６５】
上記連結点ｃが変位すると、その変位に応じて第２のアーム１８の一端部のピン１９がベッドフレーム６５の長手方向に沿って長い第２の係合凹部７をｅ２で示す距離、つまりｅ１と同じ距離スライドする。そのため、ベッドフレーム６５を図８に鎖線で示す状態に円滑に傾斜させることができる。
【００６６】
一方、患者の足部への血流を促進したい場合や頭部への血流を少なくしたい場合等には、患者の頭部を高く保持する必要がある。そのような場合には、背上げ駆動機構７３のモータ７５を作動させて第１の起上アーム７８と第２の起上アーム７９とを起上方向へ駆動する。
【００６７】
それによって、第２の起上アーム７９が背床板部７２ｅを起上方向に押し上げるから、この背床板部７２ｅによって患者の上半身が起こされ、頭部が足部に比べて高くなる姿勢となる。
【００６８】
また、第２の起上アーム７９とともに駆動される第１の起上アーム７８によって第１の脚床板部７２ｂが起上方向に駆動され、それに第２の脚床板部７２ａが連動してその状態で保持される。
【００６９】
そのため、患者は足部がわずかに持ち上げられることになるから、上半身が起こされても、臀部が前方にずれ動くのが阻止されることになる。つまり、患者は上半身が起こされたときに、脚部がわずかに持ち上げられることで、上半身を起こした姿勢を比較的楽に維持することができる。
【００７０】
なお、この発明は上記一実施例に限定されるものでない。たとえば、上下駆動機構は第１のアーム（第１の下部連結片）と第１の連動杆との間に設けたが、第２のアーム（第２の下部連結片）と第２の連動杆との間に設けるようにしてもよい。
【００７１】
【発明の効果】
請求項１、請求項２、請求項４及び請求項５の発明によれば、第１の連動杆と第２の連動杆とのスライド状態をロックして駆動手段を作動させれば、第１のアームと第２のアームとが上昇方向に回動させることができるから、ベッドフレームをほぼ水平に上昇させることができる。
【００７２】
また、上記第１の連動杆と第２の連動杆とのロック状態を解除して駆動手段を作動させれば、一方のアームだけが上昇方向に回動するから、ベッドフレームを傾斜させることができる。
【００７３】
そのため、１つの駆動手段でベッドフレームを水平な状態で上下駆動したり、傾斜させることができるから、上下と傾斜の駆動を別々の駆動手段で行っていた従来に比べて部品点数を少なくし、構成の簡略化を図ることができる。
【００７４】
請求項２の発明によれば、ベッドフレームを傾斜させるとき、一方のアームの一端部がベッドフレームの長手方向に沿ってスライドすることで、その操作を円滑に行うことが可能となる。
【００７５】
請求項３の発明によれば、ベッドフレームに設けられる床板の一部を、背上げ駆動機構によって起伏できるようにし、その床板の背上げ側をベッドフレームを傾斜させたときの下方側に位置させるようにした。
【００７６】
そのため、上記ベッドフレームを傾動させることで、床板上に仰臥した病人の頭部を下げることができ、ベッドフレームを水平な状態として床板の一部を背上げすることで、病人の頭部を上げることができるから、頭部を低くする患者と高くする患者とに利用することができる。
【図面の簡単な説明】
【図１】この発明の一実施の形態を示すベッド装置の分解斜視図。
【図２】同じく第１の連結部材の斜視図。
【図３】（ａ）は同じく第２の連結部材の斜視図、（ｂ）は同じく分解斜視図。
【図４】同じく第１の連結杆と第２の連結杆との連結構造の斜視図。
【図５】同じく第１の連結部材と第２の連結部材との連結構造の一部省略した断面図。
【図６】（ａ）は同じく図５のＡ−Ａ線方向から見た図、（ｂ）は同じく操作部材の係止溝が形成された後端部の平面図。
【図７】同じくベッドフレームを水平に上昇させるときの第１のアームと第２のアームとの動きを示す説明図。
【図８】同じくベッドフレームを傾斜させるときの第１のアームと第２のアームとの動きを示す説明図。
【図９】（ａ）は同じくベッドフレームを水平に上昇させたときのベッド装置の側面図、（ｂ）は同じく傾斜させたときの側面図。
【符号の説明】
１…ベースフレーム
１６…第１のアーム
１８…第２のアーム
２５…第１の連動杆
２６…第２の連動杆
３５…ロック機構
３６…ホルダ
３８…ロックピン
４３…引張りばね
５１…解除機構
５２…操作部材
６１…上下駆動手段
６５…ベッドフレーム
７２…床板
７３…背上げ駆動機構
【図１】
0003638820.tif 000002
【図２】
0003638820.tif 000003
【図３】
0003638820.tif 000004
【図４】
0003638820.tif 000005
【図５】
0003638820.tif 000006
【図６】
0003638820.tif 000007
【図７】
0003638820.tif 000008
【図８】
0003638820.tif 000009
【図９】
0003638820.tif 000010